(57)【要約】【課題】情報伝送変換装置と伝送路の数を低減するとともに、表示用の情報の伝送異常を監視操作手段で確認できるエレベータ監視操作情報配信システム、およびそのシステムに使用する情報伝送変換装置を提供する。【解決手段】エレベータを制御する制御装置６および群管理装置８と、監視操作装置１２および表示画面作成装置１３ａ〜１３ｄとを、情報伝送変換装置１０を介して共通の伝送路１１で接続する。情報伝送変換装置１０に、制御装置６等と監視操作装置１２との間で授受される監視操作用の情報と、制御装置６等と表示画面作成装置１３ａ〜１３ｄとの間で授受される表示用の情報とを、共通の伝送路１１により伝送できるように、各情報を処理する処理手段を設ける。これにより、情報伝送変換装置と伝送路の数を低減できる。【選択図】  図１
2004260777.tif 000002
【特許請求の範囲】
【請求項１】
エレベータを制御するエレベータ制御手段とこのエレベータ制御手段の情報を監視操作する監視操作手段および乗場又はかご内に表示する画面を作成する表示画面作成手段との間で授受される情報を伝送する伝送路に設けられ、前記エレベータ制御手段と前記監視操作手段との間で授受される情報と、前記エレベータ制御手段と前記表示画面作成手段との間で授受される情報とを、共通の伝送路により伝送できるように、前記各情報を処理する処理手段を具備したことを特徴とする情報伝送変換装置。
【請求項２】
請求項１に記載の情報伝送変換装置において、前記処理手段は、前記監視操作手段から送られてきた監視操作情報中に異常データが存在した場合に、異常データ以降に受信した監視操作情報から正常データを検出して取り出す処理を行う手段を有するものであることを特徴とする情報伝送変換装置。
【請求項３】
請求項１に記載の情報伝送変換装置において、前記処理手段は、前記監視操作手段から送られてきた監視操作情報中に異常データが存在した場合に、異常データ以降に受信した監視操作情報から正常データを検出して、正常データのみをバッファに格納し、受信処理手段へ渡すように処理する回路を有するものであることを特徴とする情報伝送変換装置。
【請求項４】
エレベータを制御するエレベータ制御手段とこのエレベータ制御手段の情報を監視操作する監視操作手段および乗場又はかご内に表示する画面を作成する表示画面作成手段とを情報伝送変換装置を介して共通の伝送路で接続したエレベータ監視操作情報配信システムにおいて、前記情報伝送変換装置が、前記エレベータ制御手段と前記監視操作手段との間で授受される情報と、前記エレベータ制御手段と前記表示画面作成手段との間で授受される情報とを、前記共通の伝送路により伝送できるように、前記各情報を処理する処理手段を具備したことを特徴とするエレベータ監視操作情報配信システム。
【請求項５】
請求項４に記載のエレベータ監視操作情報配信システムにおいて、前記情報伝送変換装置は、前記表示画面作成手段へ表示情報の送達確認を送信し、前記表示画面作成手段からの応答をモニタし、前記監視操作手段に対して前記表示画面作成手段の状態を通知する手段を有するものであることを特徴とするエレベータ監視操作情報配信システム。
【発明の詳細な説明】
【０００１】
【発明の属する技術分野】
本発明は、エレベータ制御手段と、監視操作手段および表示画面作成手段との間の情報の授受を、情報伝送変換装置および伝送路を介して行うエレベータ監視操作情報配信システム、およびそのシステムに使用する情報伝送変換装置に関する。
【０００２】
【従来の技術】
従来のエレベータ監視操作情報配信システムは、例えば図８に示すように構成されている。同図に示すように、監視室内の監視操作装置１２からエレベータの監視操作を行う場合、制御装置６、群管理装置８等のエレベータ制御装置が有する階床、進行方向、ホール呼び、かご呼び、管制運転等の監視操作関連情報を使用する。一方、かご内や乗場の乗客に対してエレベータのかご位置や進行方向の情報を映像とともに提供するかご内表示装置１５、乗場表示装置１６ａ〜１６ｃ等の表示装置は、エレベータ制御装置が有する階床、進行方向、表示メッセージを使用する。
【０００３】
監視操作装置１２と表示装置（かご内表示装置１５、乗場表示装置１６ａ〜１６ｃ）で必要とするエレベータ制御装置の情報には異なる部分があり伝送手順も違うため、従来のエレベータ監視操作情報配信システムでは、図８に示すように監視操作装置用と表示装置用に、それぞれ情報伝送変換装置１０ａ、情報伝送変換装置１０ｂを接続していた。また、情報伝送変換装置１０ｂと表示装置（かご内表示装置１５、乗場表示装置１６ａ〜１６ｃ）との間の伝送異常の有無は、かご内や乗場に設置されている表示装置（かご内表示装置１５、乗場表示装置１６ａ〜１６ｃ）で正常に表示しているか確認していた。
【０００４】
なお、従来、エレベータ制御装置と表示装置間の伝送異常や、表示装置内のエラーを、表示装置で判定して表示することは、既に知られている（例えば、特許文献１参照。）。
【０００５】
また、地震発生時などの特別な運転を行う時の案内表示データをテストするために、表示装置にテスト案内表示を行い、確認することも、既に知られている（例えば、特許文献２参照。）。
【０００６】
【特許文献１】
特開平９−１５６８４７号公報（第３−５頁、図２）
【特許文献２】
特開平１０−２９１７４５号公報（第３−５頁、図２）
【０００７】
【発明が解決しようとする課題】
上述のように、従来のエレベータ監視操作情報配信システムでは、図８に示すように、監視操作用と表示用の各々に情報伝送変換装置１０ａ、情報伝送変換装置１０ｂを設置する必要があり、表示用の情報伝送変換装置１０ｂの伝送異常はかご内や乗場の表示装置（かご内表示装置１５、乗場表示装置１６ａ〜１６ｃ）における表示状態でしか確認できなかった。
【０００８】
本発明の目的は、監視操作用と表示用のエレベータ制御手段の情報を共通の伝送路で伝送することで、情報伝送変換装置と伝送路の数を低減するとともに、表示用の情報の伝送異常を監視操作手段で確認できるエレベータ監視操作情報配信システム、およびそのシステムに使用する情報伝送変換装置を提供することである。
【０００９】
【課題を解決するための手段】
上記課題を解決するため、請求項１に係る発明では、エレベータを制御するエレベータ制御手段とこのエレベータ制御手段の情報を監視操作する監視操作手段および乗場又はかご内に表示する画面を作成する表示画面作成手段との間で授受される情報を伝送する伝送路に設けられ、エレベータ制御手段と監視操作手段との間で授受される情報と、エレベータ制御手段と表示画面作成手段との間で授受される情報とを、共通の伝送路により伝送できるように、各情報を処理する処理手段を具備したことを特徴とする。
【００１０】
請求項１に係る発明によれば、１台の情報伝送変換装置で監視操作手段や表示画面作成手段へ情報伝送が可能になる。
【００１１】
請求項２に係る発明では、請求項１に記載の情報伝送変換装置において、処理手段が、監視操作手段から送られてきた監視操作情報中に異常データが存在した場合に、異常データ以降に受信した監視操作情報から正常データを検出して取り出す処理を行う手段を有するものであることを特徴とする。
【００１２】
請求項２に係る発明によれば、監視操作情報の一部に異常データが存在しても正常データを検出でき伝送を中断すること無く継続できる情報伝送変換装置を実現できる。
【００１３】
請求項３に係る発明では、請求項１に記載の情報伝送変換装置において、処理手段は、監視操作手段から送られてきた監視操作情報中に異常データが存在した場合に、異常データ以降に受信した監視操作情報から正常データを検出して、正常データのみをバッファに格納し、受信処理手段へ渡すように処理する回路を有するものであることを特徴とする。
【００１４】
請求項３に係る発明によれば、監視操作情報の一部に異常データが存在しても正常データを検出でき伝送を中断すること無く継続できる情報伝送変換装置を実現できる。
【００１５】
請求項４に係る発明では、エレベータを制御するエレベータ制御手段とこのエレベータ制御手段の情報を監視操作する監視操作手段および乗場又はかご内に表示する画面を作成する表示画面作成手段とを情報伝送変換装置を介して共通の伝送路で接続したエレベータ監視操作情報配信システムにおいて、情報伝送変換装置が、エレベータ制御手段と監視操作手段との間で授受される情報と、エレベータ制御手段と表示画面作成手段との間で授受される情報とを、共通の伝送路により伝送できるように、各情報を処理する処理手段を具備したことを特徴とする。
【００１６】
請求項４に係る発明によれば、１台の情報伝送変換装置でエレベータ監視操作システムとエレベータ情報配信システムを同時に構成可能なエレベータ監視操作情報配信システムを実現できる。
【００１７】
請求項５に係る発明では、請求項４に記載のエレベータ監視操作情報配信システムにおいて、情報伝送変換装置が、表示画面作成手段へ表示情報の送達確認を送信し、表示画面作成手段からの応答をモニタし、監視操作手段に対して表示画面作成手段の状態を通知する手段を有するものであることを特徴とする。
【００１８】
請求項５に係る発明によれば、監視操作手段で表示画面作成手段の状態を確認できるエレベータ監視操作情報配信システムを実現できる。
【００１９】
【発明の実施の形態】
以下、本発明の情報伝送変換装置およびエレベータ監視操作情報配信システムの実施形態について、図面を参照しながら説明する。
【００２０】
（第１の実施形態）
本発明の第１の実施形態について説明する。図１は、図８における同一部分へ同一符号を付した本実施形態のエレベータ監視操作情報配信システムの構成図である。
【００２１】
図１に示すように、本実施形態のエレベータ監視操作情報配信システムは、エレベータシャフト１内のかご２に設置されているかご内呼び入力装置３と各階床の乗場呼び入力装置４ａ〜４ｃからのエレベータ呼びを制御伝送路５ａ、５ｂでエレベータを制御する制御装置６に接続している。
【００２２】
ビル内に設置された複数のエレベータシステム７ａ、７ｂは群管理装置８により管理されている。群管理装置８と制御装置６の間では、階床、進行方向、かご呼び、ホール（乗場）呼び、管制運転等の情報がエレベータの専用伝送路９を介して交信される。専用伝送路９に接続した情報伝送変換装置１０は、ＩＥＥＥ８０２．３等に代表される汎用伝送路１１を介して監視操作装置１２や表示画面作成装置１３（１３ａ〜１３ｄ）と交信する。
【００２３】
監視操作装置１２は、汎用伝送路１１から受信した階床、進行方向、かご呼び、ホール呼び、管制運転等のエレベータの運転に関する情報を監視操作装置１２の表示部に表示して監視員へ提示する。監視員が任意の階床をエレベータ不停止階にする場合は、監視操作装置１２の入力装置により設定することで、監視操作装置１２から汎用伝送路１１を経由して情報伝送変換装置１０に操作情報が送られる。情報伝送変換装置１０は操作情報を専用伝送路９の決められた情報に変換して出力にすることで、制御装置６は操作情報に基づき制御対象エレベータの操作設定を行う。
【００２４】
一方、表示画面作成装置１３（１３ａ〜１３ｄ）は映像入力と階床、進行方向の情報をもとに表示画面を作成し、伝送路１４（１４ａ〜１４ｄ）経由でかご内表示装置１５や乗場表示装置１６ａ〜１６ｃの映像情報を配信する。
【００２５】
図２は、情報伝送変換装置１０の内部回路を示す図である。
【００２６】
専用伝送路９に接続した制御装置情報送受信回路２０が、各エレベータ７ａ〜７ｂの制御装置６または群管理装置８から送られてくる階床、進行方向、かご呼び、ホール呼び、管制運転の情報を受信し、バス２１を介して情報分離回路２２に出力する。情報分離回路２２は、監視操作用情報と表示用情報を判別し、バス２３を介して送受信データ用メモリ２４に監視操作用データフォーマットと表示用データフォーマットで格納する。送受信データ用メモリ２４に格納された監視操作用と表示用の各データはバス２５を介して監視操作表示情報送受信回路２６へ出力される。監視操作表示情報送受信回路２６は、汎用伝送路１１を介して監視操作情報を監視操作装置１２へ、表示情報を表示画面作成装置１３（１３ａ〜１３ｄ）へ送信する。
【００２７】
また、汎用伝送路１１を介して監視操作装置１２や表示画面作成装置１３（１３ａ〜１３ｄ）から送られてくる情報は、監視操作表示情報送受信回路２６で受信され、送受信データ用メモリ２４に格納された後、バス２９を介して制御装置情報送受信回路２０へ出力され、専用伝送路９を介して各エレベータ７ａ〜７ｂの制御装置６または群管理装置８へ送信される。
【００２８】
ＭＰＵ２７は、信号線２８ａ〜２８ｄを介して、制御装置情報送受信回路２０、情報分離回路２２、送受信データ用メモリ２４、監視操作表示情報送受信回路２６と、割込みや制御の処理を行う。
【００２９】
図３は、情報伝送変換装置１０の送受信データシーケンスを示す図である。
【００３０】
制御装置６または群管理装置８からサイクリックに情報３１ａ〜３１ｃ、３２ａ〜３２ｃが専用伝送路９を介して送信され、情報伝送変換装置１０が受信する。情報３２ａ〜３２ｃはサイクリック周期の最後に送信される情報であり、情報伝送変換装置１０は情報３２ａ〜３２ｃを受信すると、表示用の情報３３ａ、３３ｃと監視操作用の情報３４ａ、３４ｃを作成する。
【００３１】
情報３３ａ、３３ｃはＩＰマルチキャストでデータグラム送信され、表示画面作成装置１３ａ〜１３ｄが情報３３ｂ、３３ｄとして受信する。表示画面作成装置１３ａ〜１３ｄは、映像とともに表示画面を作成した後、かご内表示装置１５、乗場表示装置１６ａ〜１６ｃへ映像情報を配信する。
【００３２】
監視操作用の情報３４ａ、３４ｃはＴＣＰ／ＩＰでストリーム送信され、監視操作装置１２が情報３４ｂ、３４ｄとして受信し、受信確認３５ａ、３５ｂを情報伝送変換装置１０へ返す。
【００３３】
また、監視員が監視操作装置１２のスイッチ操作を行うと、操作情報３６ａ、３６ｃ、３６ｅが送信され、情報伝送変換装置１０で情報３６ｂ、３６ｄ、３６ｆとして受信し、受信確認３７ａ〜３７ｃが監視操作装置１２へ返される。
【００３４】
情報伝送変換装置１０は、操作情報３６ｂ、３６ｄ、３６ｆの操作部の一致検出（例えば、同じ操作情報である操作情報３６ｂ、３６ｄ、３６ｆの３つのうち、２つ以上が一致しているかどうかの検出）を行い、一致したら情報伝送変換装置１０内に操作部データとして保存するとともに、エレベータの専用伝送路９経由で情報３８として制御装置６へ操作指示を出す。
【００３５】
また、監視操作装置１２は、一定周期で保有する監視操作情報３９ａ、３９ｃを情報伝送変換装置１０に送信し、情報変換装置１０は内部に保存した操作部データと情報３９ｂ、３９ｄの操作部が一致するか比較する。操作部が一致していない場合は、監視操作装置１２に対して図示していない再送要求を送り、監視操作装置１２が情報伝送変換装置１０へ操作情報を再度送信する。
【００３６】
本実施形態により、監視操作装置や表示画面作成装置に対して１台で監視操作と表示の情報伝送ができる情報伝送変換装置とエレベータ監視操作情報配信システムを実現できる。
【００３７】
（第２の実施形態）
次に、本発明の第２の実施形態について説明する。図４は、本実施形態において監視操作装置１２から情報伝送変換装置１０が受信するストリームデータの状態を示す図である。
【００３８】
図４に示すように、正常ストリームデータ４０は、監視操作装置１２と情報伝送変換装置１０の間で取り決めた開始コード、コマンドコード、データ、終了コードの監視操作データが正しく受信バッファに格納されている。一例として、異常ストリームデータ４１は、開始コード４２の前の終了コードが欠落しているため、情報伝送変換装置１０では異常データとして破棄するが、開始コード４２も前のデータ群に含まれる為、残りのデータもコマンドコードから始まっていて開始コードが欠落していると認識され異常として破棄されてしまう。
【００３９】
このように、チェックを開始する部分がずれてしまい、正常な状態で受信バッファに格納されているデータまで破棄されるのを防止するための、ストリーム受信データの処理フローを図５に、そしてストリームデータの検出回路を図６に示す。
【００４０】
すなわち、本実施形態においては、チェックを開始する部分がずれてしまい、正常な状態で受信バッファに格納されているデータまで破棄されるのを防止するため、受信バッファ５０に加えて、作業用バッファ（作業用バッファメモリ）７０、受信処理用バッファ６０を設け、図５に示すように、受信バッファ５０のデータを作業用バッファ７０に移し（ステップＳ５１〜Ｓ５２）、作業用バッファ７０の先頭アドレスを作業用ポインタに設定して（ステップＳ５３）、ストリームデータ検出回路６１によりデータのチェックを行う（ステップＳ５４〜Ｓ５５）。そして、データが正常な場合は、その規定サイズのデータを受信処理用バッファ６０に取り込んだ後（ステップＳ５６）、その規定サイズ分のデータを作業バッファ７０から削除し（ステップＳ５７）、次のチェック動作に移るが、データが正常でない場合は、チェックを行った規定サイズ分のデータを作業用バッファ７０から削除せずに、作業用ポインタに１を追加して作業用バッファの先頭アドレスを一つづつ進めながらデータのチェックを続ける（ステップＳ５８）。
【００４１】
このように、本実施形態においては、データが正常でない場合は、正常でないと判断された規定サイズ分のデータを破棄せずに、作業用バッファの先頭アドレスを一つづつ進めて逐次チェックを続行する。従って、図４に示すような異常ストリームデータ４１については、最初のうちは逐次チェック動作が進められても異常の判定が続くが、開始コード４２から始まる規定サイズ分のデータがチェックされるときはこれが正常と判断されることになる。
【００４２】
この処理を行うストリームデータの検出回路の動作を、図６を参照して更に詳細に説明する。
【００４３】
受信バッファ５０のデータが作業用バッファ７０へ格納され、ストリームデータ検出回路６１では、作業用バッファ先頭アドレスレジスタ６２に選択信号６３とデータバス６４を使って作業用バッファ７０の先頭アドレスを設定する。また、メモリ長レジスタ６５に選択信号６６とデータバス６４を使って作業用バッファ長を設定する。メモリ読み出し回路６７には、信号６８、６９によって作業用バッファ７０の先頭アドレスと作業用バッファ長が設定される。メモリ読み出し回路６７から、作業用バッファ７０に対し読み出しアドレス７１ａ、リード信号７２、チップ選択信号７３を出力する。作業用バッファ７０から読み出されたデータ７４は、開始コード検出回路７５、コマンドコード検出回路７６、終了コード検出回路７７でチェックする。
【００４４】
開始コードが検出されると開始コード検出回路７５から信号線７８により開始コード検出通知がメモリ読み出し回路６７と先頭アドレス検出回路７９に出力され、先頭アドレス検出回路７９がメモリ読み出し回路６７からメモリアドレス７１ｂを取り込み保持すると同時に、メモリ読み出し回路６７が現行アドレスに１を追加したアドレスで作業用バッファ７０のデータ７４を読み出す。
【００４５】
開始コードが検出されなかった場合、開始コード検出回路７５は信号線７８により開始コード未検出通知をメモリ読み出し回路６７と先頭アドレス検出回路７９に出力し、メモリ読み出し回路６７が現行アドレスに１を追加したアドレスで作業用バッファ７０のデータ７４を読み出す。
【００４６】
読み出したデータがコマンドコードであるとコマンドコート検出回路７６から信号線８０によりコマンドコード検出通知がメモリ読み出し回路６７と先頭アドレス検出回路７９に出力され、先頭アドレス検出回路７９に以前取り込まれたメモリアドレス７１ｂは保持されると同時に、メモリ読み出し回路６７が現行アドレスにデータ長分を追加したアドレスで作業用バッファ７０のデータ７４を読み出す。
【００４７】
読み出したデータがコマンドコードでなかった場合、コマンドコート検出回路７６は信号線８０によりコマンドコード未検出通知をメモリ読み出し回路６７と先頭アドレス検出回路７９に出力し、先頭アドレス検出回路７９に以前取り込まれたメモリアドレス７１ｂはクリアされ、メモリ読み出し回路６７が現行アドレスに１を追加したアドレスで作業用バッファ７０のデータ７４を読み出す。
【００４８】
読み出したデータが終了コードであると終了コード検出回路７７から信号線８１により終了コード検出通知がメモリ読み出し回路６７と先頭アドレス検出回路７９に出力され、先頭アドレス検出回路７９に以前取り込まれたメモリアドレス７１ｂは保持されると同時に、先頭アドレス検出回路７９から割込み信号８２が出力される。
【００４９】
読み出したデータが終了コードでなかった場合、終了コード検出回路７７は信号線８１により終了コード未検出通知をメモリ読み出し回路６７と先頭アドレス検出回路７９に出力し、先頭アドレス検出回路７９に以前取り込まれたメモリアドレス７１ｂはクリアされると同時に、メモリ読み出し回路６７がデータ長分を引いたアドレスで作業用バッファ７０のデータ７４を読み出す。
【００５０】
割込み信号８２を受けたＭＰＵ２７は、選択信号８３とデータバス６４によって、ストリームデータの先頭アドレスを読み出し、データを受信処理用バッファ６０に取り込み、受信処理を行う。
【００５１】
また、メモリ読み出し回路６７は、作業用バッファ７０の先頭アドレスと作業用バッファ長及び現行アドレスから、作業用バッファ７０の未チェックデータサイズが監視操作データのサイズより小さくなったことを検出した時点で、作業用バッファ７０の読み出し処理を停止し、割込み信号８４でＭＰＵ２７へ通知する。
【００５２】
本実施形態により、監視操作装置から送られてくるストリームデータの中から正常なデータを情報伝送変換装置が取り込むことができる。
【００５３】
（第３の実施形態）
次に、本発明の第３の実施形態について説明する。図７は、情報伝送変換装置１０と表示画面作成装置１３との表示情報の送達確認を図３に追加した、本実施形態の送受信データシーケンスを示す図である。なお、図７においては、ｎ台の表示画面作成装置１３のうち、１台目の表示画面作成装置（表示画面作成装置１）とｎ台目の表示画面作成装置（表示画面作成装置ｎ）のみについて示している。
【００５４】
情報伝送変換装置１０は、監視操作用の情報３４ａ、３４ｃを送信し、監視操作用の情報送信に時間的余裕がある場合に、送達確認９０ａ、９０ｄをｎ台の表示画面作成装置１３に対してマルチキャストデータグラム送信する。
【００５５】
ｎ台の表示画面作成装置１３は、送達確認９０ｂ、９０ｃ、９０ｅ、９０ｆを受信すると、予め設定されている装置番号と規定時間ｔをかけた時刻に確認応答９１ａ、９２ａ、９３ａ、９４ａを情報伝送変換装置１０に対してユニキャストデータグラム送信する。情報伝送変換装置１０は確認応答９１ｂ、９２ｂ、９３ｂ、９４ｂを受信すると、内部で各表示画面作成装置１３の状態マップを作成する。但し、表示情報の送達確認は、信頼性が高くないデータグラムで送受信しているため、複数周期分をまとめて表示画面作成装置１３の状態を決定するマップを作成する。例えば、表示画面作成装置１３毎に、それぞれ複数回送受信したデータの一致検出（例えば、同じデータを複数回送受信し、所定回数以上が一致しているかどうかの検出）を行い、一致したデータを用いて、表示画面作成装置１３の状態を決定するマップを作成する。表示画面作成装置１３の状態マップが確定した時点で、監視操作用の情報３４ａ、３４ｃのデータ部分で使われていないエリアに書き込み、監視操作装置１２に送信する。
【００５６】
監視操作装置１２が、情報３４ｂ、３４ｄ中に表示画面作成装置１３の状態マップを確認できた時点で、監視操作装置１２の表示部にｎ台の表示画面作成装置１３の状態を表示して、監視員に提示する。
【００５７】
本実施形態により、監視操作装置で表示画面作成装置の状態を確認できるエレベータ監視操作情報配信システムを実現できる。
【００５８】
【発明の効果】
以上説明したように本発明によれば、監視操作用と表示用のエレベータ制御装置の情報を共通の伝送路で伝送することで、情報伝送変換装置と伝送路の数を低減するとともに、表示用の情報伝送変換装置の伝送異常を監視操作手段で確認できるエレベータ監視操作情報配信システム、およびそのシステムに使用する情報伝送変換装置を提供することができる。
【図面の簡単な説明】
【図１】本発明の第１の実施形態に係るエレベータ監視操作情報配信システムの構成を示す図。
【図２】本発明の第１の実施形態における情報伝送変換装置の内部回路を示す図。
【図３】本発明の第１の実施形態における送受信データシーケンスを示す図。
【図４】本発明の第２の実施形態におけるストリーム受信した正常データと異常データを示す図。
【図５】本発明の第２の実施形態におけるストリーム受信データの処理フローを示す。
【図６】本発明の第２の実施形態におけるストリームデータの検出回路を示す図。
【図７】本発明の第３の実施形態における送達確認の送受信データシーケンスを示す図。
【図８】従来のエレベータ用監視操作情報配信システムの構成例を示す図。
【符号の説明】
１…エレベータシャフト
２…かご
３…かご内呼び入力装置
４ａ〜４ｃ…乗場呼び入力装置
５ａ、５ｂ…制御伝送路
６…制御装置
７ａ、７ｂ…エレベータシステム
８…群管理装置
９…専用伝送路
１０…情報伝送変換装置
１１…汎用伝送路
１２…監視操作装置
１３ａ〜１３ｄ…表示画面作成装置
１４ａ〜１４ｄ…伝送路
１５…かご内表示装置
１６ａ〜１６ｃ…乗場表示装置
２０…制御装置送受信回路
２２…情報分離回路
２４…送受信データ用メモリ
２６…監視操作情報送受信回路
２７…ＭＰＵ
５０…受信バッファ
６０…受信処理用バッファ
６１…ストリームデータ検出回路
６２…作業用バッファ先頭アドレスレジスタ
６５…メモリ長レジスタ
６７…メモリ読み出し回路
７０…作業用バッファ
７５…開始コード検出回路
７６…コマンドコード検出回路
７７…終了コード検出回路
７９…先頭アドレス検出回路
【図１】
2004260777.tif 000003
【図２】
2004260777.tif 000004
【図３】
2004260777.tif 000005
【図４】
2004260777.tif 000006
【図５】
2004260777.tif 000007
【図６】
2004260777.tif 000008
【図７】
2004260777.tif 000009
【図８】
2004260777.tif 000010